(57)【要約】【課題】投資家が株式などの資産を売買する場合に、信頼度の高い資産選別データを迅速かつ効率良く提供することを課題とする。【解決手段】ＷＥＢサーバ１２のスクリーニング条件設定部１２４ｂが株式銘柄のスクリーニング条件として予め評価した足型の信頼度を端末装置１０ａ〜１０ｃ上で指定すると、ＷＥＢサーバ１２のサーバ処理部１２４ａが株式銘柄を選別し、株式銘柄リストを端末１０ａ〜１０ｃに提供した後、さらに株価データと足型を特定するデータと株価動向の予想結果とを統合したグラフを作成し、作成したグラフを提供する。【選択図】　　　図１
2004127136.tif 000002
【特許請求の範囲】
【請求項１】
資産の値動きを示すケイ線に含まれる足型および該足型が出現した後の値動きの関係に基づいて当該足型の信頼度を判定する信頼度判定手段と、
前記信頼度判定手段により判定された各種足型の信頼度に基づいて、複数の資産の中から所定の足型を有する資産をスクリーニングするスクリーニング手段と、
前記スクリーニング手段によってスクリーニングされた資産の値動きを示すケイ線に係る情報を表示制御する表示制御手段と
を備えたことを特徴とするケイ線情報提供装置。
【請求項２】
前記信頼度判定手段は、各資産に所定の足型が出現した際に該足型の出現後の価格変動を取得しておき、複数の資産に共通して出現する同じ足型についての価格変動に基づいて当該足型の信頼度を示すカテゴリーを判定することを特徴とする請求項１に記載のケイ線情報提供装置。
【請求項３】
前記信頼度判定手段は、複数の資産に共通して出現する同じ足型についての価格変動の平均値を用いて当該足型の信頼度を示すカテゴリーを判定することを特徴とする請求項２に記載のケイ線情報提供装置。
【請求項４】
前記信頼度判定手段は、複数の資産に共通して出現する同じ足型についての価格変動から得られる価格上昇回数および価格下降回数を用いて当該足型の信頼度を示すカテゴリーを判定することを特徴とする請求項２に記載のケイ線情報提供装置。
【請求項５】
前記スクリーニング手段は、所定のカテゴリーが入力された際に該カテゴリーに属する足型を有する資産を複数の資産の中からスクリーニングすることを特徴とする請求項２、３または４に記載のケイ線情報提供装置。
【請求項６】
前記表示制御手段は、前記スクリーニング手段によってスクリーニングされた資産の値動きを示すケイ線を表示制御するとともに、該ケイ線に出現する足型を解説する解説情報を表示制御することを特徴とする請求項１〜５のいずれか一つに記載のケイ線情報提供装置。
【請求項７】
各資産に所定の足型が出現した際に該足型の出現後の日々の価格変動率を取得しておき、複数の資産に共通して出現する同じ足型についての日々の価格変動率に基づいて価格動向を予測する価格動向予測手段をさらに備え、前記表示制御手段は、前記価格動向予測手段により予測された価格動向に基づいて前記スクリーニング手段によってスクリーニングされた資産についての将来の価格予想推移を表示制御することを特徴とする請求項１〜６のいずれか一つに記載のケイ線情報提供装置。
【請求項８】
資産の値動きを示すケイ線に含まれる足型および該足型が出現した後の値動きの関係に基づいて当該足型の信頼度を判定する信頼度判定工程と、
前記信頼度判定工程により判定された各種足型の信頼度に基づいて、複数の資産の中から所定の足型を有する資産をスクリーニングするスクリーニング工程と、
前記スクリーニング工程によってスクリーニングされた資産の値動きを示すケイ線に係る情報を表示制御する表示制御工程と
を含んだことを特徴とするケイ線情報提供方法。
【請求項９】
前記信頼度判定工程は、各資産に所定の足型が出現した際に該足型の出現後の価格変動を取得しておき、複数の資産に共通して出現する同じ足型についての価格変動に基づいて当該足型の信頼度を示すカテゴリーを判定することを特徴とする請求項８に記載のケイ線情報提供方法。
【請求項１０】
前記信頼度判定工程は、複数の資産に共通して出現する同じ足型についての価格変動の平均値を用いて当該足型の信頼度を示すカテゴリーを判定することを特徴とする請求項９に記載のケイ線情報提供方法。
【請求項１１】
前記信頼度判定工程は、複数の資産に共通して出現する同じ足型についての価格変動から得られる価格上昇回数および価格下降回数を用いて当該足型の信頼度を示すカテゴリーを判定することを特徴とする請求項９に記載のケイ線情報提供方法。
【請求項１２】
前記スクリーニング工程は、所定のカテゴリーが入力された際に該カテゴリーに属する足型を有する資産を複数の資産の中からスクリーニングすることを特徴とする請求項９、１０または１１に記載のケイ線情報提供方法。
【請求項１３】
前記表示制御工程は、前記スクリーニング工程によってスクリーニングされた資産の値動きを示すケイ線を表示制御するとともに、該ケイ線に出現する足型を解説する解説情報を表示制御することを特徴とする請求項８〜１２のいずれか一つに記載のケイ線情報提供方法。
【請求項１４】
各資産に所定の足型が出現した際に該足型の出現後の日々の価格変動率を取得しておき、複数の資産に共通して出現する同じ足型についての日々の価格変動率に基づいて価格動向を予測する価格動向予測工程をさらに備え、前記表示制御工程は、前記価格動向予測工程により予測された価格動向に基づいて前記スクリーニング工程によってスクリーニングされた資産についての将来の価格予想推移を表示制御することを特徴とする請求項８〜１３のいずれか一つに記載のケイ線情報提供方法。
【請求項１５】
資産の値動きを示すケイ線に含まれる足型および該足型が出現した後の値動きの関係に基づいて当該足型の信頼度を判定する信頼度判定手順と、
前記信頼度判定手順により判定された各種足型の信頼度に基づいて、複数の資産の中から所定の足型を有する資産をスクリーニングするスクリーニング手順と、
前記スクリーニング手順によってスクリーニングされた資産の値動きを示すケイ線に係る情報を表示制御する表示制御手順と
をコンピュータに実行させることを特徴とするケイ線情報提供プログラム。
【請求項１６】
前記信頼度判定手順は、各資産に所定の足型が出現した際に該足型の出現後の価格変動を取得しておき、複数の資産に共通して出現する同じ足型についての価格変動に基づいて当該足型の信頼度を示すカテゴリーを判定することを特徴とする請求項１５に記載のケイ線情報提供プログラム。
【請求項１７】
前記信頼度判定手順は、複数の資産に共通して出現する同じ足型についての価格変動の平均値を用いて当該足型の信頼度を示すカテゴリーを判定することを特徴とする請求項１６に記載のケイ線情報提供プログラム。
【請求項１８】
前記信頼度判定手順は、複数の資産に共通して出現する同じ足型についての価格変動から得られる価格上昇回数および価格下降回数を用いて当該足型の信頼度を示すカテゴリーを判定することを特徴とする請求項１６に記載のケイ線情報提供プログラム。
【請求項１９】
前記スクリーニング手順は、所定のカテゴリーが入力された際に該カテゴリーに属する足型を有する資産を複数の資産の中からスクリーニングすることを特徴とする請求項１６、１７または１８に記載のケイ線情報提供プログラム。
【請求項２０】
前記表示制御手順は、前記スクリーニング手順によってスクリーニングされた資産の値動きを示すケイ線を表示制御するとともに、該ケイ線に出現する足型を解説する解説情報を表示制御することを特徴とする請求項１５〜１９のいずれか一つに記載のケイ線情報提供プログラム。
【請求項２１】
各資産に所定の足型が出現した際に該足型の出現後の日々の価格変動率を取得しておき、複数の資産に共通して出現する同じ足型についての日々の価格変動率に基づいて価格動向を予測する価格動向予測手順をさらに備え、前記表示制御手順は、前記価格動向予測手順により予測された価格動向に基づいて前記スクリーニング手順によってスクリーニングされた資産についての将来の価格予想推移を表示制御することを特徴とする請求項１５〜２０のいずれか一つに記載のケイ線情報提供プログラム。
【発明の詳細な説明】
【０００１】
【発明の属する技術分野】
この発明は、所定の資産を売買する際に用いられる該資産の価格チャートに係る情報を提供するケイ線情報提供装置、ケイ線情報提供方法、ケイ線情報提供プログラムに関し、特に、投資家が該資産を売買する場合に、過去の価格データにもとづいて評価された足型の信頼度をスクリーニング条件とする信頼度の高い資産選別データを迅速かつ効率良く提供することができるケイ線情報提供装置、ケイ線情報提供方法、ケイ線情報提供プログラムに関する。なお、ここで価格とは、株式、国債、不動産株、商品投資などの資産の価格データを総称している。
【０００２】
【従来の技術】
従来、株式投資をおこなう投資家にとっては、株の売買のタイミングを見極めることが極めて重要な関心事となるので、かかる投資家は、いわゆるテクニカル分析と呼ばれる分析手法を用いて株価の過去の動きをグラフにした株価チャートを様々な観点から検討し、その検討結果から売買のタイミングを判断することが多い。
【０００３】
このテクニカル分析手法の一つとして、一日の株価の動きを図形で視覚的にわかりやすく表現したケイ線を用いるケイ線分析手法が知られており、このケイ線分析手法では、ローソク足を時系列的にグラフ化したケイ線を用いるとともに、このケイ線に出現する株価の動きの一塊り（パターン）をなす足型から株の売買のタイミングを予測することになる。すなわち、かかる足型には株式の転換点を示す情報としての価値があり、売りの足型および買いの足型についてそれぞれ３０パターン以上のものがある。
【０００４】
このように、この足型を含むケイ線を用いたケイ線分析手法は、投資家が売り買いの転換点を把握するうえで極めて有効なテクニカル分析手法であり、今後も多用されるものと考えられる。
【０００５】
【発明が解決しようとする課題】
しかしながら、各投資家が、かかるケイ線分析手法を有効に活用するためには上記足型に精通していることが大前提となるので、このケイ線分析手法はすべての投資家にとって有効活用できるものではない。言い換えると、足型についての知識を取得しなければ、ケイ線分析手法を利用できないという問題があった。
【０００６】
また、各投資家が、興味のあるいくつかの株式銘柄のみの足型を確認することは比較的容易であるが、値動きを確認したい株式銘柄が多くなればなるほど、足型を確認するための労力が増えるので、かかる場合にはケイ線分析手法を利用しづらいという問題もある。本来、株式を購入しようとする投資家にとっては、最も投資効率の高い銘柄を把握したいと言うニーズが高いので、値動きを確認したい株式銘柄が増えるわけであるが、かかる理由からケイ線分析手法にはその適用に限界があるのである。
【０００７】
さらに、かかる足型は、今から二百数十年前に本間宗久が米相場を対象として確立した「酒田戦法（酒田五法）」に由来する普遍的な経験則ではあるが、この足型についての定量的な評価は検証されているわけではないので、時代背景や銘柄の特性などを踏まえて足型の信頼度を高める必要もある。
【０００８】
以上のことから、株式投資をする投資家にとって、定量的な評価がなされた足型を用いて様々な株式銘柄の中から投資効率の高い株式銘柄をいかに効率良く選択するかが極めて重要な課題となっている。また、各種足型に精通していない投資家であっても、足型を把握しつつ投資対象となる株式銘柄をいかに選択できるようにするかが極めて重要な課題となっている。なお、かかる課題は、株式だけではなく、国債、不動産株、商品投資などの各種資産について該当するものでもある。
【０００９】
この発明は、上述した従来技術による課題（問題点）を解決するためになされたものであって、資産投資をする投資家が、定量的な評価がなされた足型を用いて様々な株式銘柄の中から投資効率の高い資産を効率良く選択可能にするとともに、足型についての情報を含むケイ線情報を提供することができるケイ線情報提供装置、ケイ線情報提供方法、ケイ線情報提供プログラムを提供することを目的とする。
【００１０】
【課題を解決するための手段】
上述した課題を解決し、目的を達成するため、請求項１の発明に係るケイ線情報提供装置は、資産の値動きを示すケイ線に含まれる足型および該足型が出現した後の値動きの関係に基づいて当該足型の信頼度を判定する信頼度判定手段と、前記信頼度判定手段により判定された各種足型の信頼度に基づいて、複数の資産の中から所定の足型を有する資産をスクリーニングするスクリーニング手段と、前記スクリーニング手段によってスクリーニングされた資産の値動きを示すケイ線に係る情報を表示制御する表示制御手段とを備えたことを特徴とする。
【００１１】
この請求項１の発明によれば、資産の値動きを示すケイ線に含まれる足型および足型が出現した後の値動きの関係に基づいて足型の信頼度を判定し、各種足型の信頼度に基づいて、複数の資産の中から所定の足型を有する資産をスクリーニングし、スクリーニングされた資産の値動きを示すケイ線に係る情報を表示制御することとしたので、投資家などが資産を売買する場合に、過去の価格データにもとづいて評価された足型の信頼度をスクリーニング条件とする信頼度の高い資産選別データを迅速かつ効率良く提供することができる。
【００１２】
また、請求項２の発明に係るケイ線情報提供装置は、請求項１の発明において、前記信頼度判定手段は、各資産に所定の足型が出現した際に該足型の出現後の価格変動を取得しておき、複数の資産に共通して出現する同じ足型についての価格変動に基づいて当該足型の信頼度を示すカテゴリーを判定することを特徴とする。
【００１３】
この請求項２の発明によれば、各資産に所定の足型が出現した際に足型の出現後の価格変動を取得しておき、複数の資産に共通して出現する同じ足型についての価格変動に基づいて足型の信頼度を示すカテゴリーを判定することとしたので、投資家などが資産を売買する場合に、価格変動の平均値にもとづいて評価された足型の信頼度をスクリーニング条件とする、さらに信頼度の高い資産選別データを提供することができる。
【００１４】
また、請求項３の発明に係るケイ線情報提供装置は、請求項２の発明において、前記信頼度判定手段は、複数の資産に共通して出現する同じ足型についての価格変動の平均値を用いて当該足型の信頼度を示すカテゴリーを判定することを特徴とする。
【００１５】
この請求項３の発明によれば、複数の資産に共通して出現する同じ足型についての価格変動の平均値を用いて足型の信頼度を示すカテゴリーを判定することとしたので、投資家などが資産を売買する場合に、過去の価格データにもとづいて評価された足型の信頼度をスクリーニング条件とする、さらに信頼度の高い資産選別データを提供することができる。
【００１６】
また、請求項４の発明に係るケイ線情報提供装置は、請求項２の発明において、前記信頼度判定手段は、複数の資産に共通して出現する同じ足型についての価格変動から得られる価格上昇回数および価格下降回数を用いて当該足型の信頼度を示すカテゴリーを判定することを特徴とする。
【００１７】
この請求項４の発明によれば、複数の資産に共通して出現する同じ足型についての価格変動から得られる価格上昇回数および価格下降回数を用いて足型の信頼度を示すカテゴリーを判定することとしたので、投資家などが資産を売買する場合に、過去の価格データにもとづいて評価された足型の信頼度をスクリーニング条件とする、さらに信頼度の高い資産選別データを提供することができる。
【００１８】
また、請求項５の発明に係るケイ線情報提供装置は、請求項２、３または４の発明において、前記スクリーニング手段は、所定のカテゴリーが入力された際に該カテゴリーに属する足型を有する資産を複数の資産の中からスクリーニングすることを特徴とする。
【００１９】
この請求項５の発明によれば、所定のカテゴリーが入力された際にカテゴリーに属する足型を有する資産を複数の資産の中からスクリーニングすることとしたので、投資家などが資産を売買する場合に、資産の売買のタイミング、信頼度などを効率良く把握することができる。
【００２０】
また、請求項６の発明に係るケイ線情報提供装置は、請求項１〜５のいずれか一つの発明において、前記表示制御手段は、前記スクリーニング手段によってスクリーニングされた資産の値動きを示すケイ線を表示制御するとともに、該ケイ線に出現する足型を解説する解説情報を表示制御することを特徴とする。
【００２１】
この請求項６の発明によれば、スクリーニングされた資産の値動きを示すケイ線を表示制御するとともに、該ケイ線に出現する足型を解説する解説情報を表示制御することとしたので、投資家などが資産を売買する場合に価格変動と足型の関連を容易に把握することができる。
【００２２】
また、請求項７の発明に係るケイ線情報提供装置は、請求項１〜６のいずれか一つの発明において、各資産に所定の足型が出現した際に該足型の出現後の日々の価格変動率を取得しておき、複数の資産に共通して出現する同じ足型についての日々の価格変動率に基づいて価格動向を予測する価格動向予測手段をさらに備え、前記表示制御手段は、前記価格動向予測手段により予測された価格動向に基づいて前記スクリーニング手段によってスクリーニングされた資産についての将来の価格予想推移を表示制御することを特徴とする。
【００２３】
この請求項７の発明によれば、各資産に所定の足型が出現した際に足型の出現後の日々の価格変動率を取得しておき、複数の資産に共通して出現する同じ足型についての日々の価格変動率に基づいて価格動向を予測し、予測された価格動向に基づいてスクリーニングされた資産についての将来の価格予想推移を表示制御することとしたので、投資家などが資産を売買する場合に、資産の売買のタイミング、信頼度、投資効果などを効率良く把握することができる。
【００２４】
また、請求項８の発明に係るケイ線情報提供方法は、資産の値動きを示すケイ線に含まれる足型および該足型が出現した後の値動きの関係に基づいて当該足型の信頼度を判定する信頼度判定工程と、前記信頼度判定工程により判定された各種足型の信頼度に基づいて、複数の資産の中から所定の足型を有する資産をスクリーニングするスクリーニング工程と、前記スクリーニング工程によってスクリーニングされた資産の値動きを示すケイ線に係る情報を表示制御する表示制御工程とを含んだことを特徴とする。
【００２５】
この請求項８の発明によれば、資産の値動きを示すケイ線に含まれる足型および足型が出現した後の値動きの関係に基づいて足型の信頼度を判定し、各種足型の信頼度に基づいて、複数の資産の中から所定の足型を有する資産をスクリーニングし、スクリーニングされた資産の値動きを示すケイ線に係る情報を表示制御することとしたので、投資家などが資産を売買する場合に、過去の価格データにもとづいて評価された足型の信頼度をスクリーニング条件とする信頼度の高い資産選別データを迅速かつ効率良く提供することができる。
【００２６】
また、請求項９の発明に係るケイ線情報提供方法は、請求項８の発明において、前記信頼度判定工程は、各資産に所定の足型が出現した際に該足型の出現後の価格変動を取得しておき、複数の資産に共通して出現する同じ足型についての価格変動に基づいて当該足型の信頼度を示すカテゴリーを判定することを特徴とする。
【００２７】
この請求項９の発明によれば、各資産に所定の足型が出現した際に足型の出現後の価格変動を取得しておき、複数の資産に共通して出現する同じ足型についての価格変動に基づいて足型の信頼度を示すカテゴリーを判定することとしたので、投資家などが資産を売買する場合に、価格変動の平均値にもとづいて評価された足型の信頼度をスクリーニング条件とする、さらに信頼度の高い資産選別データを提供することができる。
【００２８】
また、請求項１０の発明に係るケイ線情報提供方法は、請求項９の発明において、前記信頼度判定工程は、複数の資産に共通して出現する同じ足型についての価格変動の平均値を用いて当該足型の信頼度を示すカテゴリーを判定することを特徴とする。
【００２９】
この請求項１０の発明によれば、複数の資産に共通して出現する同じ足型についての価格変動の平均値を用いて足型の信頼度を示すカテゴリーを判定することとしたので、投資家などが資産を売買する場合に、過去の価格データにもとづいて評価された足型の信頼度をスクリーニング条件とする、さらに信頼度の高い資産選別データを提供することができる。
【００３０】
また、請求項１１の発明に係るケイ線情報提供方法は、請求項９の発明において、前記信頼度判定工程は、複数の資産に共通して出現する同じ足型についての価格変動から得られる価格上昇回数および価格下降回数を用いて当該足型の信頼度を示すカテゴリーを判定することを特徴とする。
【００３１】
この請求項１１の発明によれば、複数の資産に共通して出現する同じ足型についての価格変動から得られる価格上昇回数および価格下降回数を用いて足型の信頼度を示すカテゴリーを判定することとしたので、投資家などが資産を売買する場合に、過去の価格データにもとづいて評価された足型の信頼度をスクリーニング条件とする、さらに信頼度の高い資産選別データを提供することができる。
【００３２】
また、請求項１２の発明に係るケイ線情報提供方法は、請求項９、１０または１１の発明において、前記スクリーニング工程は、所定のカテゴリーが入力された際に該カテゴリーに属する足型を有する資産を複数の資産の中からスクリーニングすることを特徴とする。
【００３３】
この請求項１２の発明によれば、所定のカテゴリーが入力された際にカテゴリーに属する足型を有する資産を複数の資産の中からスクリーニングすることとしたので、投資家などが資産を売買する場合に、資産の売買のタイミング、信頼度などを効率良く把握することができる。
【００３４】
また、請求項１３の発明に係るケイ線情報提供方法は、請求項８〜１２のいずれか一つの発明において、前記表示制御工程は、前記スクリーニング工程によってスクリーニングされた資産の値動きを示すケイ線を表示制御するとともに、該ケイ線に出現する足型を解説する解説情報を表示制御することを特徴とする。
【００３５】
この請求項１３の発明によれば、スクリーニングされた資産の値動きを示すケイ線を表示制御するとともに、該ケイ線に出現する足型を解説する解説情報を表示制御することとしたので、投資家などが資産を売買する場合に価格変動と足型の関連を容易に把握することができる。
【００３６】
また、請求項１４の発明に係るケイ線情報提供方法は、請求項８〜１３のいずれか一つの発明において、各資産に所定の足型が出現した際に該足型の出現後の日々の価格変動率を取得しておき、複数の資産に共通して出現する同じ足型についての日々の価格変動率に基づいて価格動向を予測する価格動向予測工程をさらに備え、前記表示制御工程は、前記価格動向予測工程により予測された価格動向に基づいて前記スクリーニング工程によってスクリーニングされた資産についての将来の価格予想推移を表示制御することを特徴とする。
【００３７】
この請求項１４の発明によれば、各資産に所定の足型が出現した際に足型の出現後の日々の価格変動率を取得しておき、複数の資産に共通して出現する同じ足型についての日々の価格変動率に基づいて価格動向を予測し、予測された価格動向に基づいてスクリーニングされた資産についての将来の価格予想推移を表示制御することとしたので、投資家などが資産を売買する場合に、資産の売買のタイミング、信頼度、投資効果などを効率良く把握することができる。
【００３８】
また、請求項１５の発明に係るケイ線情報提供プログラムは、資産の値動きを示すケイ線に含まれる足型および該足型が出現した後の値動きの関係に基づいて当該足型の信頼度を判定する信頼度判定手順と、前記信頼度判定手順により判定された各種足型の信頼度に基づいて、複数の資産の中から所定の足型を有する資産をスクリーニングするスクリーニング手順と、前記スクリーニング手順によってスクリーニングされた資産の値動きを示すケイ線に係る情報を表示制御する表示制御手順とを含んだことを特徴とする。
【００３９】
この請求項１５の発明によれば、資産の値動きを示すケイ線に含まれる足型および足型が出現した後の値動きの関係に基づいて足型の信頼度を判定し、各種足型の信頼度に基づいて、複数の資産の中から所定の足型を有する資産をスクリーニングし、スクリーニングされた資産の値動きを示すケイ線に係る情報を表示制御することとしたので、投資家などが資産を売買する場合に、過去の価格データにもとづいて評価された足型の信頼度をスクリーニング条件とする信頼度の高い資産選別データを迅速かつ効率良く提供することができる。
【００４０】
また、請求項１６の発明に係るケイ線情報提供プログラムは、請求項１５の発明において、前記信頼度判定手順は、各資産に所定の足型が出現した際に該足型の出現後の価格変動を取得しておき、複数の資産に共通して出現する同じ足型についての価格変動に基づいて当該足型の信頼度を示すカテゴリーを判定することを特徴とする。
【００４１】
この請求項１６の発明によれば、各資産に所定の足型が出現した際に足型の出現後の価格変動を取得しておき、複数の資産に共通して出現する同じ足型についての価格変動に基づいて足型の信頼度を示すカテゴリーを判定することとしたので、投資家などが資産を売買する場合に、価格変動の平均値にもとづいて評価された足型の信頼度をスクリーニング条件とする、さらに信頼度の高い資産選別データを提供することができる。
【００４２】
また、請求項１７の発明に係るケイ線情報提供プログラムは、請求項１６の発明において、前記信頼度判定手順は、複数の資産に共通して出現する同じ足型についての価格変動の平均値を用いて当該足型の信頼度を示すカテゴリーを判定することを特徴とする。
【００４３】
この請求項１７の発明によれば、複数の資産に共通して出現する同じ足型についての価格変動の平均値を用いて足型の信頼度を示すカテゴリーを判定することとしたので、投資家などが資産を売買する場合に、過去の価格データにもとづいて評価された足型の信頼度をスクリーニング条件とする、さらに信頼度の高い資産選別データを提供することができる。
【００４４】
また、請求項１８の発明に係るケイ線情報提供プログラムは、請求項１６の発明において、前記信頼度判定手順は、複数の資産に共通して出現する同じ足型についての価格変動から得られる価格上昇回数および価格下降回数を用いて当該足型の信頼度を示すカテゴリーを判定することを特徴とする。
【００４５】
この請求項１８の発明によれば、複数の資産に共通して出現する同じ足型についての価格変動から得られる価格上昇回数および価格下降回数を用いて足型の信頼度を示すカテゴリーを判定することとしたので、投資家などが資産を売買する場合に、過去の価格データにもとづいて評価された足型の信頼度をスクリーニング条件とする、さらに信頼度の高い資産選別データを提供することができる。
【００４６】
また、請求項１９の発明に係るケイ線情報提供プログラムは、請求項１６、１７または１８の発明において、前記スクリーニング手順は、所定のカテゴリーが入力された際に該カテゴリーに属する足型を有する資産を複数の資産の中からスクリーニングすることを特徴とする。
【００４７】
この請求項１９の発明によれば、所定のカテゴリーが入力された際にカテゴリーに属する足型を有する資産を複数の資産の中からスクリーニングすることとしたので、投資家などが資産を売買する場合に、資産の売買のタイミング、信頼度などを効率良く把握することができる。
【００４８】
また、請求項２０の発明に係るケイ線情報提供プログラムは、請求項１５〜１９のいずれか一つの発明において、前記表示制御手順は、前記スクリーニング手順によってスクリーニングされた資産の値動きを示すケイ線を表示制御するとともに、該ケイ線に出現する足型を解説する解説情報を表示制御する。
【００４９】
この請求項２０の発明によれば、スクリーニングされた資産の値動きを示すケイ線を表示制御するとともに、該ケイ線に出現する足型を解説する解説情報を表示制御することとしたので、投資家などが資産を売買する場合に価格変動と足型の関連を容易に把握することができる。
【００５０】
また、請求項２１の発明に係るケイ線情報提供プログラムは、請求項１５〜２０のいずれか一つの発明において、各資産に所定の足型が出現した際に該足型の出現後の日々の価格変動率を取得しておき、複数の資産に共通して出現する同じ足型についての日々の価格変動率に基づいて価格動向を予測する価格動向予測手順をさらに備え、前記表示制御手順は、前記価格動向予測手順により予測された価格動向に基づいて前記スクリーニング手順によってスクリーニングされた資産についての将来の価格予想推移を表示制御することを特徴とする。
【００５１】
この請求項２１の発明によれば、各資産に所定の足型が出現した際に足型の出現後の日々の価格変動率を取得しておき、複数の資産に共通して出現する同じ足型についての日々の価格変動率に基づいて価格動向を予測し、予測された価格動向に基づいてスクリーニングされた資産についての将来の価格予想推移を表示制御することとしたので、投資家などが資産を売買する場合に、資産の売買のタイミング、信頼度、投資効果などを効率良く把握することができる。
【００５２】
【発明の実施の形態】
以下に添付図面を参照して、この発明に係るケイ線情報提供装置、ケイ線情報提供方法およびケイ線情報提供プログラムの好適な実施の形態を詳細に説明する。なお、本実施の形態では、インターネット上の分散システムの一つであるＷＷＷ（Ｗｏｒｌｄ　Ｗｉｄｅ　Ｗｅｂ）上で動作する株式に関するケイ線情報提供システムに本発明を適用した場合を示すこととする。国債、不動産株、商品投資などのその他の資産についても、本発明のケイ線情報提供システムは株式と同様に適用することができる。
【００５３】
まず、本実施の形態に係るケイ線情報提供システムの構成について説明する。図１は、本実施の形態に係るケイ線情報提供システムの構成を示す機能ブロック図である。同図に示すように、このケイ線情報提供システムは、各端末装置１０ａ〜１０ｃとＷＥＢサーバ１２とがインターネット１１を介して接続された構成となる。
【００５４】
端末装置１０ａ〜１０ｃは、ＨＴＴＰサーバにアクセス可能なＷＥＢブラウザを搭載したインターネット端末であり、プロバイダなどを介してインターネット上の各種サーバ装置にアクセスできる。
【００５５】
ＷＥＢサーバ１２は、本発明に係る装置であり、インターネット上の各種端末装置１０ａ〜１０ｃからアクセスを受け付けてホームページなどのウェブサービスを提供するＨＴＴＰサーバである。このＷＥＢサーバ１２は、単に一般的なウェブサービスを提供するだけではなく、所定の株式銘柄を売買する際に用いられる該株式銘柄の株価チャートに係る情報を提供する。具体的には、このＷＥＢサーバ１２では、従来技術のように単に所定銘柄の株価チャートを呈示するのではなく、足型の信頼度を株価実績データに基づいて予め定期的に評価し、その評価に基づいて足型の信頼度を株式銘柄のスクリーニング条件として指定し、株式銘柄を選別し、また、指定された株式銘柄の株価チャート上に足型の名称、出現日、解説および株価動向予測結果を表示したグラフを提供することにより、投資家などが株式銘柄を売買する場合に、過去の株価データにもとづいて評価された足型の信頼度をスクリーニング条件とする信頼度の高い株式銘柄選別データを迅速かつ効率良く提供することができるようにしている。
【００５６】
図１に示すように、このＷＥＢサーバ１２は、インターフェース部１２０、入力部１２１、表示部１２２、記憶部１２３および制御部１２４を有する。インターフェース部１２０は、インターネット１１を介して端末装置１０ａ〜１０ｃとデータ授受するネットワークインターフェースであり、具体的にはＴＣＰ／ＩＰプロトコルにしたがった処理をおこなう。
【００５７】
入力部１２１は、キーボードやマウスなどの入力デバイスであり、表示部１２２は、液晶パネルやディスプレイなどの表示デバイスであり、記憶部１２３は、ハードディスク装置などの記憶デバイスである。この記憶部１２には、ハイパーテキスト１２３ａ、株式銘柄選別データ１２３ｂ、株価動向予測データ１２３ｃおよび株価実績データ１２３ｄが記憶されている。
【００５８】
ハイパーテキスト１２３ａは、端末装置１０ａ〜１０ｃに配信するウインドウ画面を形成するハイパーテキストであり、株式銘柄選別データ１２３ｂは複数の足型の名称、出現日、信頼度などを株式銘柄に対応させたデータで、スクリーニング条件設定部１２４ｂによって定期的に更新される。株価動向予測データは複数の足型のそれぞれについて、その足型が出現した日以降の株価の日々の変動率を、全株式銘柄に亘って足型ごとに平均した値を足型に対応させたデータで、株価動向予測部１２４ｃはこの平均値を定期的に更新すると同時にこの平均値に基づいて当該足型が出現した日以降の株価動向を予測する。また、株価実績データ１２３ｄは、各種株式銘柄の株価の実績値を継続的に蓄積したデータである。この株価実績データ１２３ｄは、図示しない株価提供サーバから所定時間間隔で逐次株価データを取得して更新される。
【００５９】
制御部１２４は、ＷＥＢサーバ１２を全体制御する制御部であり、サーバ処理部１２４ａ、スクリーニング条件設定部１２４ｂおよび株価動向予測部１２４ｃを有する。
【００６０】
サーバ処理部１２４ａは、端末装置１０ａ〜１０ｃに対してＨＴＴＰサーバとしての機能を提供するための処理部であり、具体的には、端末装置１０ａ〜１０ｃからのアクセスを受け付けた際に、記憶部１２３に記憶したハイパーテキスト１２３ａを読み出して、該当する端末装置１０ａ〜１０ｃに送信する処理などをおこなう。
【００６１】
スクリーニング条件設定部１２４ｂは、全株式銘柄の株価実績データ１２３ｄ上で所定の足型を特定し、その所定の足型が出現した日以降の所定の期間の株価変動を、全株式銘柄に亘って足型ごとに平均した値にもとづいて複数の足型の信頼度を評価し、足型を信頼度の大、中、小にカテゴリー分けし、株式銘柄選別のスクリーニング条件として設定する。また、足型の名称、出現日、信頼度などの情報を株式銘柄に対応させて株式銘柄選別データ１２３ｂに格納し、定期的に更新する。
【００６２】
なお、投資家がＷＥＢ上で株式銘柄のスクリーニング条件として足型と期間を指定すると、サーバ処理部１２４ａは株式銘柄選別データ１２３ｂから当該足型が出現した複数の株式銘柄を検索し、端末１０ａ〜１０ｃのウィンドウに出力する。
【００６３】
株価動向予測部１２４ｃは、全株式銘柄の株価実績データ１２３ｄ上で所定の足型を特定し、その所定の足型が出現した日以降の日々の株価変動率を全株式銘柄に亘って足型ごとに平均した値に基づいて、その所定の足型が新たに出現した場合、その出現した日以降の将来の株価動向を予測する。
【００６４】
なお、投資家が前記のウィンドウに出力された複数の株式銘柄からＷＥＢ画面上でさらに一銘柄を指定すると、サーバ処理部１２４ａはその銘柄の株価実績データと足型を特定するデータと株価動向予測結果を統合して表示するように、端末１０ａ〜１０ｃに対して送信する。
【００６５】
次に、図１に示したＷＥＢサーバ１２が提供するチャート検索ウインドウ２０の一例について説明する。図２は、図１に示したＷＥＢサーバ１２が提供するチャート検索ウインドウの一例を示す図である。同図に示すように、投資資金２１、チャート種別２２、対象期間２３、一日平均売買代金２４、スクリーニング条件２５、足型名称２６を条件入力し、検索を実行するボタン２７がクリックされると、銘柄該当リストが表示される。図２では、スクリーニング条件として買い（信頼度：大）を指定した。買い（信頼度：大）には「陰の陰はらみ」から始まり１０の足型が挙げられている。
【００６６】
スクリーニング条件設定部１２４ｂは、株式銘柄選別データ１２３ｂを定期的に更新するが、これと同時に足型の信頼度の区分が見直され、チャート検索ウィンドウ２０の足型名称２６も更新される。
【００６７】
図３は、図１に示したＷＥＢサーバ１２が提供する検索チャートウインドウ２０の別の例を示す図である。同図に示すように、ここではスクリーニング条件として買い（信頼度：中）が指定されている。買い（信頼度：中）には「陽の丸坊主」から始まり１４の足型が挙げられている。
【００６８】
図４および図５は、図１に示したＷＥＢサーバ１２が提供する検索チャートウインドウ２０のさらに別の例を示す図である。同図に示すように、スクリーニング条件として売り（信頼度：大）および売り（信頼度：中）が指定されている。また、図６は、チャート種別として週足が指定されている。スクリーニング条件設定部１２４ｂは日足の足型だけではなく、週足の足型についても信頼度を評価することができる。
【００６９】
図７は、前記の図２〜図５のチャート検索ウィンドウ２０で検索を実行するボタン２７をクリックした場合に、表示される該当銘柄リストウィンドウ３０である。銘柄名のほかに株式コード、株価、前日比、足型名とその解説等が表示される。このリストの株式コード３１をクリックすると、株価チャートがグラフで表示される。
【００７０】
次に、図７に示した該当銘柄リストウィンドウ３０の株式コード３１をクリックした場合に表示される株価チャートの表示例について説明する。図８は、図７に示した該当銘柄リストウィンドウ３０の株式コード３１をクリックした場合に表示される表示例を示す図である。
【００７１】
同図に示すように、指定した株式銘柄の株価実績データ上に売りと買いの足型の出現した日が（Ｄｎ）と（Ｕｐ）の記号で表示されている。この場合、スクリーニング条件として買い（信頼度：大）が指定されているので、買い（信頼度：大）に区分された足型、「離れ七手の変化底」が直近に出現している。この足型の記号（Ｕｐ）にマウスのポインタを持っていくと図８に表示されているように足型名とその解説がさらに表示される。また、株価動向予測部１２４ｃによって予測された、直近の足型の出現した日以降の株価動向が表示される。
【００７２】
かかる検索チャートウインドウ２０、該当銘柄ウィンドウ３０、指定した銘柄の株価チャートおよび株価動向予測を提供することにより、投資家などが株式銘柄を売買する場合に、過去の株価データにもとづいて評価された足型の信頼度をスクリーニング条件とする信頼度の高い株式銘柄選別データに基づいて迅速かつ効率良く、売買のタイミングを判断することができるようにしている。
【００７３】
次に、図１に示した端末装置１０ａとＷＥＢサーバ１２との間でおこなわれる処理手順について説明する。図９は、図１に示した端末装置１０ａとＷＥＢサーバ１２との間でおこなわれる処理手順を示すフローチャートである。
【００７４】
同図に示すように、端末装置１０上でＷＥＢブラウザを起動し、インターネット１１を介してＷＥＢサーバにアクセスしたならば（ステップＳ２０１）、ＷＥＢブラウザ１２は、図示省略したメインメニューを提供して（ステップＳ２０２）、該メインメニューを端末装置１０ａ上に表示する。
【００７５】
そして、このメインメニュー上でチャート検索が選択されたならば（ステップＳ２０３）、その旨がＷＥＢサーバ１２に通知されるので、ＷＥＢサーバ１２は図２〜図６に示されるようなチャート検索ウインドウ２０を提供し（ステップＳ２０４）、このチャート検索ウインドウ２０が端末装置１０ａ上で表示される。
【００７６】
ここで、投資家などが、このチャート検索ウインドウ２０上で投資金額、チャート種別、対象期間、一日平均売買代金、スクリーニング条件を入力して、該当銘柄の選別を指示したならば（ステップＳ２０５）、ＷＥＢサーバ１２のサーバ処理部１２４ａが株式銘柄選別データから株式銘柄の検索を実行する（ステップＳ２０６）。
【００７７】
そして、この検索結果に基づいて表示データを作成し（ステップＳ２０７）、作成した表示データを端末装置１０ａに送信し（ステップＳ２０８）、端末装置１０ａ上に図７に示されるような該当銘柄リストウィンドウ３０を表示する（ステップＳ２０９）。
【００７８】
次に、該当銘柄リストウィンドウ３０に表示された株式銘柄、株価、足型等の表示を見て、投資家などが、さらに株式銘柄の株価チャートを見たい場合は、株式銘柄のコード３１をクリックし、株価チャートの表示を指示する（ステップＳ２１０）。
【００７９】
ＷＥＢサーバ１２のサーバ処理部１２４ａが指定された銘柄に関する株価実績データ１２３ｄと株式銘柄選別データ１２４ｂの足型に関するデータを株価チャート上で統合する（ステップＳ２１１）。
【００８０】
さらに株価動向予測部１２４ｃが株価動向予測データ１２３ｃの日々の株価変動率の平均値に基づいて計算した、指定された銘柄に関する株価動向予測結果を前記の株価チャート上に描画し、（ステップＳ２１２）、サーバ処理部１２４ａが作成した表示データを端末装置１０ａに送信し（ステップＳ２１３）、端末装置１０ａ上に、図８に示されるような株価チャートを表示する（ステップＳ２１４）。
【００８１】
次に、図９のステップＳ２０５に示した株式銘柄のスクリーニング条件である足型の信頼度の評価手順をさらに詳細に説明する。図１０は、図９のステップＳ２０５に示した株式銘柄のスクリーニング条件である足型の信頼度の評価手順をさらに詳細に示すフローチャートである。
【００８２】
同図に示すように、ＷＥＢサーバ１２のスクリーニング条件設定部１２４ｂは、全株式銘柄の株価実績データ１２３ｄを順次、記憶部１２３から取得し（ステップＳ３０１）、過去の足型のパターンの全てを検索し、各足型のその後の所定の期間の株価変動を取得する（ステップＳ３０２〜Ｓ３０３）。
【００８３】
そして、各足型のパターンの、その後の株価変動の平均値を求めた後に（ステップＳ３０４）、各足型のパターンを株価変動の平均値でカテゴリ分けをする（ステップＳ３０５）。買いの足型のパターンについてプラスの平均値、すなわち株価の上昇が特に大きい足型のカテゴリを（信頼度：大）、次に大きい足型のカテゴリを（信頼度：中）、小さい足型のカテゴリを（信頼度：小）と分類する。また、売りの足型のパターンについてもマイナスの平均値、すなわち株価の低下の大きい順に（信頼度：大）、（信頼度：中）、（信頼度：小）と分類する（ステップＳ３０６）。足型の名称、出現日、信頼度などを株式銘柄を対応させたデータを株式銘柄選別データ１２３ｂに格納し、定期的に更新する（ステップＳ３０７）。
【００８４】
上述してきたように、本実施の形態では、端末装置１０ａ〜１０ｃ上でＷＥＢサーバ１２のスクリーニング条件設定部１２４ｂが予め評価した足型の信頼度をスクリーニング条件として指定し、株式銘柄を選別し、端末装置１０ａ〜１０ｃに提供できるように構成したので、投資家などが株式銘柄を売買する場合に、過去の株価データにもとづいて評価された足型の信頼度をスクリーニング条件とする信頼度の高い株式銘柄選別データを迅速かつ効率良く提供することができる。
【００８５】
次に、図９のステップＳ２１１に示した株価動向予測データ１２３ｃを作成し、株価動向を予測する実行手順をさらに詳細に説明する。図１１は、図９のステップＳ２１１に示した株価動向予測データ１２３ｃを作成し、株価動向を予測する実行手順をさらに詳細に示すフローチャートである。
【００８６】
同図に示すように、ＷＥＢサーバ１２の株価動向予測部１２４ｃは、全株式銘柄の株価実績データ１２３ｄを順次、記憶部１２３から取得し（ステップＳ４０１）、過去の足型のパターンの全てを検索し、各足型のその後の日々の株価変動率を取得する（ステップＳ４０２〜Ｓ４０３）。
【００８７】
そして、各足型のパターンの、その後の日々の株価変動率の平均値を求めた後に（ステップＳ４０４）、各足型のパターンについての日々の株価変動率の平均値を将来の株価の日々の予想変動率として株価動向予測データに格納し、定期的に更新する（ステップＳ４０５）。また、直近に新たな足型のパターンが出現した場合、その出現した後の将来の株価を前記の日々の予想変動率に基づいて計算し、株価チャート上などで予想株価を描画する（ステップＳ４０６）。
【００８８】
上述してきたように、本実施の形態では、端末装置１０ａ〜１０ｃ上で銘柄コードが指定された際に、ＷＥＢサーバ１２のサーバ処理部１２４ａが、株価実績データ１２４ｄと株式銘柄選別データ１２４ｂの足型を特定するデータを株価チャート上で統合し、株価動向予測部１２４ｃが株価動向予測結果を株価チャート上に描画するよう構成したので、投資家などが株式銘柄を売買する場合に、過去の株価データにもとづいて評価された足型のカテゴリの信頼度をスクリーニング条件とする信頼度の高い株式銘柄選別データを迅速かつ効率良く提供することができる。
【００８９】
なお、本実施の形態では、本発明をインターネット上のＷＷＷを用いた場合に適用したが、本発明はこれに限定されるものではなく、スタンドアロンのコンピュータを用いた場合や専用ネットワークを用いて実現することもできる。
【００９０】
また、本実施の形態では、株価実績データ１２３ｄを記憶部１２３に記憶する場合について説明したが、本発明はこれに限定されるものではなく、その都度インターネット１１を介して株価実績データ１２３ｄを取得することもできる。
【００９１】
さらに、本実施の形態では、各足型のパターンの、その後の株価変動の平均値を求めた後に、各足型のパターンを株価変動の平均値でカテゴリ分けし、株価の上昇もしくは低下が特に大きい足型のカテゴリを（信頼度：大）、次に大きい足型のカテゴリを（信頼度：中）、小さい足型のカテゴリを（信頼度：小）と分類したが、各足型の出現回数に対する、各足型出現後の株価の上昇もしくは低下の回数の割合で各足型の信頼度を評価することもできる。
【００９２】
また、本実施の形態では、本発明を株式投資用のケイ線について適用する場合を説明したが、本発明はこれに限定されるものではなく、株式以外の資産についてのケイ線について同様に適用することができる。
【００９３】
【発明の効果】
以上説明したように、本発明によれば、資産の値動きを示すケイ線に含まれる足型および足型が出現した後の値動きの関係に基づいて足型の信頼度を判定し、各種足型の信頼度に基づいて、複数の資産の中から所定の足型を有する資産をスクリーニングし、スクリーニングされた資産の値動きを示すケイ線に係る情報を表示制御するよう構成したので、投資家などが資産を売買する場合に、過去の株価データにもとづいて評価された足型の信頼度をスクリーニング条件とする信頼度の高い資産選別データを迅速かつ効率良く提供することができる。
【００９４】
また、本発明によれば、各資産に所定の足型が出現した際に足型の出現後の株価変動を取得しておき、複数の資産に共通して出現する同じ足型についての株価変動に基づいて足型の信頼度を示すカテゴリーを判定するよう構成したので、投資家などが資産を売買する場合に、株価変動の平均値にもとづいて評価された足型の信頼度をスクリーニング条件とする、さらに信頼度の高い資産選別データを提供することができる。
【００９５】
また、本発明によれば、複数の資産に共通して出現する同じ足型についての株価変動の平均値を用いて足型の信頼度を示すカテゴリーを判定するよう構成したので、投資家などが資産を売買する場合に、過去の株価データにもとづいて評価された足型の信頼度をスクリーニング条件とする、さらに信頼度の高い資産選別データを提供することができる。
【００９６】
また、本発明によれば、複数の資産に共通して出現する同じ足型についての株価変動から得られる株価上昇回数および株価下降回数を用いて足型の信頼度を示すカテゴリーを判定するよう構成したので、投資家などが資産を売買する場合に、過去の株価データにもとづいて評価された足型の信頼度をスクリーニング条件とする、さらに信頼度の高い資産選別データを提供することができる。
【００９７】
また、本発明によれば、所定のカテゴリーが入力された際にカテゴリーに属する足型を有する資産を複数の資産の中からスクリーニングするよう構成したので、投資家などが資産を売買する場合に、資産の売買のタイミング、信頼度などを効率良く把握することができる。
【００９８】
また、本発明によれば、スクリーニングされた資産の値動きを示すケイ線を表示制御するとともに、該ケイ線に出現する足型を解説する解説情報を表示制御するよう構成したので、投資家などが資産を売買する場合に株価変動と足型の関連を容易に把握することができる。
【００９９】
また、本発明によれば、各資産に所定の足型が出現した際に足型の出現後の日々の株価変動率を取得しておき、複数の資産に共通して出現する同じ足型についての日々の株価変動率に基づいて株価動向を予測し、予測された株価動向に基づいてスクリーニングされた資産についての将来の株価予想推移を表示制御するよう構成したので、投資家などが資産を売買する場合に、資産の売買のタイミング、信頼度、投資効果などを効率良く把握することができる。
【図面の簡単な説明】
【図１】本実施の形態に係るケイ線情報提供システムの構成を示す機能ブロック図である。
【図２】図１に示したＷＥＢサーバが提供するチャート検索ウインドウの一例を示す図である。
【図３】図１に示したＷＥＢサーバが提供するチャート検索ウインドウの別の例を示す図である。
【図４】図１に示したＷＥＢサーバが提供するチャート検索ウインドウの別の例を示す図である。
【図５】図１に示したＷＥＢサーバが提供するチャート検索ウインドウの別の例を示す図である。
【図６】図１に示したＷＥＢサーバが提供するチャート検索ウインドウの別の例を示す図である。
【図７】図２〜図６に示した検索を実行するボタンがクリックされた場合に表示される表示例を示す図である。
【図８】図７に示した株式コードがクリックされた場合に表示される表示例を示す図である。
【図９】図１に示した端末装置とＷＥＢサーバとの間でおこなわれる処理手順を示すフローチャートである。
【図１０】図９に示した足型の信頼度の評価手順をさらに詳細に示すフローチャートである。
【図１１】図９に示した株価動向予測の実行手順をさらに詳細に示すフローチャートである。
【符号の説明】
１０ａ〜１０ｃ　　端末装置
１１　　インターネット
１２　　ＷＥＢサーバ
１２０　　インターフェース部
１２１　　入力部
１２２　　表示部
１２３　　記憶部
１２３ａ　　ハイパーテキスト
１２３ｂ　　株式銘柄選別データ
１２３ｃ　　株価動向予測データ
１２３ｄ　　株価実績データ
１２４　　制御部
１２４ａ　　サーバ処理部
１２４ｂ　　スクリーニング条件設定部
１２４ｃ　　株価動向予測部
２０　　チャート検索ウインドウ
３０　　該当銘柄リストウィンドウ
【図１】
2004127136.tif 000003
【図２】
2004127136.tif 000004
【図３】
2004127136.tif 000005
【図４】
2004127136.tif 000006
【図５】
2004127136.tif 000007
【図６】
2004127136.tif 000008
【図７】
2004127136.tif 000009
【図８】
2004127136.tif 000010
【図９】
2004127136.tif 000011
【図１０】
2004127136.tif 000012
【図１１】
2004127136.tif 000013